(57)【要約】【課題】  本発明は、容易でかつ確実に原稿の読取精度を向上させ、低騒音にて高品質の画像読取装置及び記録装置を提供することを可能にすることを目的としている。【解決手段】  キャリッジ７により移動されるコンタクトセンサ３の移動量を検出する移動量検出手段が、キャリッジ７の裏面側に設けられたフォトセンサと、インチ系スリット板14及びミリ系スリット板13とを有して二種類以上の移動単位を検出可能に構成されたことを特徴とする。【選択図】      図２
2005175914.tif 000002
【特許請求の範囲】
【請求項１】
原稿を載置する原稿台ガラスと、前記原稿台ガラスに対向して配置され且つ前記原稿台ガラス上に載置された原稿の原稿画像を読み取る画像読取手段と、前記画像読取手段を移動させる移動手段と、前記移動手段により移動される前記画像読取手段の移動量を検出する移動量検出手段と、を有する画像読取装置において、
前記移動量検出手段は、少なくとも二種類以上の移動単位を検出可能に構成したことを特徴とした画像読取装置。
【請求項２】
原稿を載置する原稿台ガラスと、前記原稿台ガラスに対向して配置され且つ前記原稿台ガラス上に載置された原稿の原稿画像を反射する反射ミラーと、前記反射ミラーを移動させる移動手段と、前記移動手段により移動される前記反射ミラーの移動量を検出する移動量検出手段と、前記反射ミラーに反射した原稿画像を読み取る画像読取手段と、を有する画像読取装置において、
前記移動量検出手段は、少なくとも二種類以上の移動単位を検出可能に構成したことを特徴とした画像読取装置。
【請求項３】
原稿を搬送する原稿搬送手段と、前記原稿搬送手段により搬送される原稿の原稿画像を読み取る画像読取手段と、前記画像読取手段を搭載し且つ前記原稿に対する読取領域を往復移動可能なキャリッジと、前記キャリッジを移動させる移動手段と、前記移動手段により移動される前記キャリッジの移動量を検出する移動量検出手段と、を有する画像読取装置において、
前記移動量検出手段は、少なくとも二種類以上の移動単位を検出可能に構成したことを特徴とした画像読取装置。
【請求項４】
シートを搬送するシート搬送手段と、前記シート搬送手段によるシートの搬送量を検出する搬送量検出手段と、を有するシート搬送装置において、
前記搬送量検出手段は、少なくとも二種類以上の搬送単位を検出可能に構成したことを特徴としたシート搬送装置。
【請求項５】
シートを搬送するシート搬送手段と、前記シート搬送手段により搬送されるシートに記録を行うための記録手段と、前記記録手段を搭載し且つ前記シートに対する記録領域を往復移動可能なキャリッジと、前記キャリッジを移動させる移動手段と、前記移動手段により移動される前記キャリッジの移動量を検出する移動量検出手段と、を有する記録装置において、
前記移動量検出手段は、少なくとも二種類以上の移動単位を検出可能に構成したことを特徴とした記録装置。
【請求項６】
前記移動量検出手段は、光学センサと、前記移動手段に同期駆動もしくは略同期駆動し且つ前記光学センサの光路を遮るスリット部材とを有し、前記光学センサと前記スリット部材との対を複数有することを特徴とした請求項１〜３のいずれか１項に記載の画像読取装置。
【請求項７】
前記移動量検出手段は、光学センサと、前記移動手段に同期駆動もしくは略同期駆動し且つ前記光学センサの光路を遮るスリット部材とを有し、前記光学センサのうちの少なくとも１つは複数の位置へと移動可能であり、前記スリット部材を複数設けたことを特徴とした請求項１〜３のいずれか１項に記載の画像読取装置。
【請求項８】
前記移動量検出手段は、光学センサと、前記移動手段に同期駆動もしくは略同期駆動し且つ前記光学センサの光路を遮るスリット部材とを有し、前記光学センサを複数設け、前記スリット部材のうちの少なくとも１つは異なる周期のスリット幅を有することを特徴とした請求項１〜３のいずれか１項に記載の画像読取装置。
【請求項９】
前記搬送量検出手段は、光学センサと、前記シート搬送手段に同期駆動もしくは略同期駆動し且つ前記光学センサの光路を遮るスリット部材とを有し、前記光学センサと前記スリット部材との対を複数有することを特徴とした請求項４記載のシート搬送装置。
【請求項１０】
前記搬送量検出手段は、光学センサと、前記シート搬送手段に同期駆動もしくは略同期駆動し且つ前記光学センサの光路を遮るスリット部材とを有し、前記光学センサのうちの少なくとも１つは複数の位置へと移動可能であり、前記スリット部材を複数設けたことを特徴とした請求項４記載のシート搬送装置。
【請求項１１】
前記搬送量検出手段は、光学センサと、前記シート搬送手段に同期駆動もしくは略同期駆動し且つ前記光学センサの光路を遮るスリット部材とを有し、前記光学センサを複数設け、前記スリット部材のうちの少なくとも１つは異なる周期のスリット幅を有することを特徴とした請求項４記載のシート搬送装置。
【請求項１２】
前記移動量検出手段は、光学センサと、前記移動手段に同期駆動もしくは略同期駆動し且つ前記光学センサの光路を遮るスリット部材とを有し、前記光学センサと前記スリット部材との対を複数有することを特徴とした請求項５に記載の記録装置。
【請求項１３】
前記移動量検出手段は、光学センサと、前記移動手段に同期駆動もしくは略同期駆動し且つ前記光学センサの光路を遮るスリット部材とを有し、前記光学センサのうちの少なくとも１つは複数の位置へと移動可能であり、前記スリット部材を複数設けたことを特徴とした請求項５に記載の記録装置。
【請求項１４】
前記移動量検出手段は、光学センサと、前記移動手段に同期駆動もしくは略同期駆動し且つ前記光学センサの光路を遮るスリット部材とを有し、前記光学センサを複数設け、前記スリット部材のうちの少なくとも１つは異なる周期のスリット幅を有することを特徴とした請求項５に記載の記録装置。
【請求項１５】
前記移動量検出手段における少なくとも二種類以上の移動単位とは、１つはミリ系解像度であり、他の１つはインチ系解像度であることを特徴とした請求項１〜３のいずれか１項に記載の画像読取装置。
【請求項１６】
前記搬送量検出手段における少なくとも二種類以上の搬送単位とは、１つはミリ系解像度であり、他の１つはインチ系解像度であることを特徴とした請求項４に記載のシート搬送装置。
【請求項１７】
前記移動量検出手段における少なくとも二種類以上の移動単位とは、１つはミリ系解像度であり、他の１つはインチ系解像度であることを特徴とした請求項５に記載の記録装置。
【請求項１８】
前記移動量検出手段から得られる出力信号に同期して前記画像読取手段の動作を行う制御手段を有することを特徴とした請求項１〜３のいずれか１項に記載の画像読取装置。
【請求項１９】
シート状原稿を搬送する請求項４に記載のシート搬送装置と、前記シート搬送装置により搬送されるシート状原稿の原稿画像を読み取る画像読取手段と、前記搬送量検出手段から得られる出力信号に同期して前記画像読取手段の動作を行う制御手段と、を有することを特徴とした画像読取装置。
【請求項２０】
前記移動手段を駆動する駆動手段を有し、該駆動手段の駆動源は直流モータを用いたことを特徴とした請求項１〜３のいずれか１項に記載の画像読取装置。
【請求項２１】
前記シート搬送手段を駆動する駆動手段を有し、該駆動手段の駆動源は直流モータを用いたことを特徴とした請求項４に記載のシート搬送装置。
【請求項２２】
前記移動手段を駆動する駆動手段を有し、該駆動手段の駆動源は直流モータを用いたことを特徴とした請求項５に記載の記録装置。
【請求項２３】
シート搬送手段は、搬送回転体であることを特徴とした請求項４に記載のシート搬送装置。
【請求項２４】
前記記録装置は、記録手段が信号に応じてインクを吐出して記録を行うインクジェット記録方式であることを特徴とした請求項５に記載の記録装置。
【発明の詳細な説明】
【技術分野】
【０００１】
本発明は、原稿の画像情報を読み取るとともに、画像を形成し、画像を送信するファクシミリ装置等の画像通信装置に装備される画像読取装置やシート状原稿や記録シート等を搬送するシート搬送装置及び、記録紙等のシートに画像を記録する記録装置に関するものである。
【背景技術】
【０００２】
従来、ファクシミリ装置においては、スキャナで送信すべき画像を読み込み、それを通信の前手順で相手端末とのネゴシエーション（交渉）により決定した所定の解像度の符号に変換して送信するように構成されている。
【０００３】
特に、Ｇ３ファクシミリ装置では、画像の通信解像度の単位がミリ（mm）系であるため、スキャナもミリ系の解像度で画像の読み取りを行っている。これに対して、Ｇ４ファクシミリ装置では、通信解像度の単位がインチ（inch）系となっており、従ってスキャナはインチ系の解像度で画像の読み取りを行っている。
【０００４】
例えば、インチ系のスキャナを搭載したＧ４ファクシミリ装置で読み取った２００×２００ppiの画像をＧ３ファクシミリ装置に送信する場合、Ｇ３の送信手順では８×７．７ppmとして送信される。ここで、インチ系の２００×２００ppiはミリ系の７．８×７．８ppmと同等であるため、主走査方向には７．８／８％縮小され、副走査方向には７．８／７．７％拡大された状態の歪んだ画像が受信側にて出力されてしまう。
【０００５】
逆に、ミリ系のスキャナを搭載したＧ４ファクシミリ装置で読み取った８×７．７ppmの画像を別のＧ４ファクシミリ装置に送信すると、Ｇ４の送信手順では２００×２００ppiとして送信されるので、主走査方向に伸び、副走査方向には縮小された画像が受信側にて出力されてしまう。
【０００６】
そこで、上述の画像の歪みを修正するために、送信側にて送信解像度に従ってミリ／インチ変換又はインチ／ミリ変換を行い、画像の歪みを修正してから送信を行っている。
【０００７】
具体的な変換時の数式は、以下のように構成される。
【０００８】
インチ単位系の読み取りにて、各ＦＡＸ送受信の解像度への変換での
Std．（スタンダード）（３．８５mm／Line×８Pel）の場合は、
主走査：２５．４／０．１２５）＝２０３．２dpi
副走査：２５．４／（１／３．８５）＝９７．８dpiとなり、
Fine（ファイン）（７．７mm／Line×８Pel）の場合は、
主走査：Std．と同じ＝２０３．２dpi
副走査：２５．４／（１／７．７）＝１９５．６dpiとなり、
Ｓ．Fine（スーパーファイン）（１５．４mm／Line×８Pel）の場合は、
主走査：Std．と同じ＝２０３．２dpi
副走査：２５．４／（１／１５．４）＝３９１．２dpiとなる。
【０００９】
従来例として、上記解像度変換機能を有する前記等倍光学系を用いた原稿読取装置の一例を図８及び図９に示す。図８及び図９において、読取フレーム201に原稿台ガラス202が支持されており、図示しない原稿Ｄを原稿台ガラス202に載せ、光電変換素子を用いたコンタクトセンサ203にて読取動作を行う。圧板208は原稿台ガラス202から原稿Ｄが浮かないように、押さえ込むように構成されている。
【００１０】
図９は原稿台ガラス202よりも上に配置された部材を除去した従来例の駆動連結部を説明するための斜視図である。コンタクトセンサ203を取り付けているキャリッジ207はステッピングモータ205にギア連結されて回転するプーリに張架された駆動伝達ベルト206の一部に固定されており、ステッピングモータ205の回転によりコンタクトセンサ203を取り付けているキャリッジ207が摺動軸204に沿って平行に図９の矢印方向に走査される。
【００１１】
一方、図10に示すように、上記解像度変換機能を有する等倍光学系を用いた他の原稿読取装置は、制御基板209や主電源210等を有する電気基板、読取部211、オペレーション部212等によって構成されている。
【００１２】
読取部211は、原稿Ｄをセットし積載するための原稿トレー213、原稿搬送路をガイドする上原稿ガイド214、下原稿ガイド215、複数枚の原稿Ｄを順次送り出す原稿分離部216、光電変換素子を用いたコンタクトセンサ203、前記コンタクトセンサ203の対向上面に原稿Ｄの背景色（バックグランドカラー）となる読取基準板217を取り付いている。
【００１３】
原稿Ｄの搬送経路としては、先ず、原稿分離ローラ218と予備搬送板219とに挟まれた原稿Ｄは摩擦片220により分離されて１枚ずつ搬送される。そして原稿Ｄは給送ローラ221と対向コロ222によりコンタクトセンサ203と読取基準板217との間を通過して排出ローラ223と対向コロ224により図10の矢線方向に排出される。
【００１４】
原稿排出側には、通紙による原稿Ｄの静電気を除去或いは軽減する除電ブラシ225が配設してある。また、コンタクトセンサ203を保持するＣＳホルダ226は装置本体フレーム227に支持されており、読取基準板217は自重もしくは図示しないバネ等によりコンタクトセンサ203側に付勢されるように構成されている。
【００１５】
原稿Ｄは原稿分離ローラ218と予備搬送板219とに挟まれ、摩擦片220による負荷（バックテンション）を得ながら、給送ローラ221と対向コロ222とにより挟持され、更に排出ローラ223と対向コロ224とにより挟持されて移動することで読み取るシートフィード型の読取装置である。そのため、メイン搬送となる給送ローラ221のローラ外径が原稿Ｄの搬送量を決定する構成となっている。
【００１６】
【特許文献１】特開平０９−４３７４６号公報（図１）
【発明の開示】
【発明が解決しようとする課題】
【００１７】
しかしながら、前述の従来例において、駆動源としてはステッピングモータを使用し、ギアトレインにて構成した駆動系とする場合が多く、モータの回転量にてキャリッジ207の走査量や給送ローラ221の搬送量を制御している。
【００１８】
そのため、最小回転角度（ステップ角）が決まっているステッピングモータでは、一つの解像度系に合わせた構成となっている。従って、Ｇ３ファクシミリ装置とＧ４ファクシミリ装置との組み合わせや、パソコンのスキャナ機能を同時に有するマルチファンクション製品にて、複数の解像度にて読取動作を行う場合には、以下に記す解像度変換を行っている場合が多い。
【００１９】
細かな解像度により読み込んだ画像データを粗い解像度に変換する場合は、単純に間引く方式にて構成される。例えば（副走査）３００dpiの読取データから２００dpiの画像データに変換する場合は、２／３Lineとしている。即ち３Lineのうち２Lineを使用し、且つ１Lineを使用しないで捨てるのである。
【００２０】
このように同じ解像度単位系であって、単純な比が取れる解像度変換では、画像量としては適正な走査量や搬送量となるが、画像としては前述のように間引いたLineとの繋ぎが悪くなり、ある程度の画像品質しか再現出来ないという不具合があった。
【００２１】
また、例えば（副走査）３００dpiの読取データよりファクシミリ装置（ＦＡＸ）のFine（７．７本／mm＝１９５．６dpi）送信画像データに変換する場合は、１９５．６／３００Lineとしなくてはならない。即ち理論的には３００Lineのうち１９５．６Lineを使用し、１０４．４Lineを使用しないで捨てるのであるが、通常近似値を取っている場合が多い。
【００２２】
このように違う解像度単位系であって、単純な比が取れない解像度変換では、画像量としては不適正な搬送量となり、且つ画像としては前述間引いたLineとの繋ぎが悪くなり、ある程度の画像品質しか再現出来ないという不具合があった。
【００２３】
また、読取精度を向上させるためには、解像度変換の精度を厳しくする必要があり、処理する時間が増大し、且つコスト高となってしまう。
【００２４】
また従来の駆動源となるステッピングモータ205は、読取搬送系の負荷が増大すると脱調（回転しなくなる）してしまう特性がある。通常、脱調させないように安全係数（通常約１．５倍〜２倍）をかけたトルク設定にて制御している。
【００２５】
そのため、原稿搬送時には余分なトルクを持ったまま回転駆動制御されており、余分なトルク（エネルギー）はモータの温度上昇や騒音へと変化する。
【００２６】
本発明は前記課題を解決するものであり、その目的とするところは、装置本体を大きくすることなく、容易で且つ確実に原稿の読取精度を向上させた高品質の画像読取装置、シート搬送装置及び記録装置を提供せんとするものである。
【課題を解決するための手段】
【００２７】
前記目的を達成するための本発明に係る画像読取装置の第１の構成は、原稿を載置する原稿台ガラスと、前記原稿台ガラスに対向して配置され且つ前記原稿台ガラス上に載置された原稿の原稿画像を読み取る画像読取手段と、前記画像読取手段を移動させる移動手段と、前記移動手段により移動される前記画像読取手段の移動量を検出する移動量検出手段と、を有する画像読取装置において、前記移動量検出手段は、少なくとも二種類以上の移動単位を検出可能に構成したことを特徴とする。
【００２８】
本発明に係る画像読取装置の第２の構成は、原稿を載置する原稿台ガラスと、前記原稿台ガラスに対向して配置され且つ前記原稿台ガラス上に載置された原稿の原稿画像を反射する反射ミラーと、前記反射ミラーを移動させる移動手段と、前記移動手段により移動される前記反射ミラーの移動量を検出する移動量検出手段と、前記反射ミラーに反射した原稿画像を読み取る原稿読取手段と、を有する画像読取装置において、前記移動量検出手段は、少なくとも二種類以上の移動単位を検出可能に構成したことを特徴とする。
【００２９】
本発明に係る画像読取装置の第３の構成は、原稿を搬送する原稿搬送手段と、前記原稿搬送手段により搬送される原稿の原稿画像を読み取る画像読取手段と、前記画像読取手段を搭載し且つ前記原稿に対する読取領域を往復移動可能なキャリッジと、前記キャリッジを移動させる移動手段と、前記移動手段により移動される前記キャリッジの移動量を検出する移動量検出手段と、を有する画像読取装置において、前記移動量検出手段は、少なくとも二種類以上の移動単位を検出可能に構成したことを特徴とする。
【００３０】
また、本発明に係るシート搬送装置は、シートを搬送するシート搬送手段と、前記シート搬送手段によるシートの搬送量を検出する搬送量検出手段と、を有するシート搬送装置において、前記搬送量検出手段は、少なくとも二種類以上の搬送単位を検出可能に構成したことを特徴とする。
【００３１】
また、本発明に係る記録装置は、シートを搬送するシート搬送手段と、前記シート搬送手段により搬送されるシートに記録を行うための記録手段と、前記記録手段を搭載し且つ前記シートに対する記録領域を往復移動可能なキャリッジと、前記キャリッジを移動させる移動手段と、前記移動手段により移動される前記キャリッジの移動量を検出する移動量検出手段と、を有する記録装置において、前記移動量検出手段は、少なくとも二種類以上の移動単位を検出可能に構成したことを特徴とする。
【００３２】
前記各画像読取装置において、前記移動量検出手段は、光学センサと、前記移動手段に同期駆動もしくは略同期駆動し且つ前記光学センサの光路を遮るスリット部材とを有し、前記光学センサと前記スリット部材との対を複数有することを特徴とする。
【００３３】
前記各画像読取装置において、前記移動量検出手段は、光学センサと、前記移動手段に同期駆動もしくは略同期駆動し且つ前記光学センサの光路を遮るスリット部材とを有し、前記光学センサのうちの少なくとも１つは複数の位置へと移動可能であり、前記スリット部材を複数設けたことを特徴とする。
【００３４】
前記各画像読取装置において、前記移動量検出手段は、光学センサと、前記移動手段に同期駆動もしくは略同期駆動し且つ前記光学センサの光路を遮るスリット部材とを有し、前記光学センサを複数設け、前記スリット部材のうちの少なくとも１つは異なる周期のスリット幅を有することを特徴とする。
【００３５】
前記シート搬送装置において、前記搬送量検出手段は、光学センサと、前記シート搬送手段に同期駆動もしくは略同期駆動し且つ前記光学センサの光路を遮るスリット部材とを有し、前記光学センサと前記スリット部材との対を複数有することを特徴とする。
【００３６】
前記シート搬送装置において、前記搬送量検出手段は、光学センサと、前記シート搬送手段に同期駆動もしくは略同期駆動し且つ前記光学センサの光路を遮るスリット部材とを有し、前記光学センサのうちの少なくとも１つは複数の位置へと移動可能であり、前記スリット部材を複数設けたことを特徴とする。
【００３７】
前記シート搬送装置において、前記搬送量検出手段は、光学センサと、前記シート搬送手段に同期駆動もしくは略同期駆動し且つ前記光学センサの光路を遮るスリット部材とを有し、前記光学センサを複数設け、前記スリット部材のうちの少なくとも１つは異なる周期のスリット幅を有することを特徴とする。
【００３８】
前記記録装置において、前記移動量検出手段は、光学センサと、前記移動手段に同期駆動もしくは略同期駆動し且つ前記光学センサの光路を遮るスリット部材とを有し、前記光学センサと前記スリット部材との対を複数有することを特徴とする。
【００３９】
前記記録装置において、前記移動量検出手段は、光学センサと、前記移動手段に同期駆動もしくは略同期駆動し且つ前記光学センサの光路を遮るスリット部材とを有し、前記光学センサのうちの少なくとも１つは複数の位置へと移動可能であり、前記スリット部材を複数設けたことを特徴とする。
【００４０】
前記記録装置において、前記移動量検出手段は、光学センサと、前記移動手段に同期駆動もしくは略同期駆動し且つ前記光学センサの光路を遮るスリット部材とを有し、前記光学センサを複数設け、前記スリット部材のうちの少なくとも１つは異なる周期のスリット幅を有することを特徴とする。
【００４１】
前記各画像読取装置において、前記移動量検出手段における少なくとも二種類以上の移動単位とは、１つはミリ系解像度であり、他の１つはインチ系解像度であることを特徴とする。
【００４２】
前記各シート搬送装置において、前記搬送量検出手段における少なくとも二種類以上の搬送単位とは、１つはミリ系解像度であり、他の１つはインチ系解像度であることを特徴とする。
【００４３】
前記各記録装置において、前記移動量検出手段における少なくとも二種類以上の移動単位とは、１つはミリ系解像度であり、他の１つはインチ系解像度であることを特徴とする。
【００４４】
前記各画像読取装置において、前記移動量検出手段から得られる出力信号に同期して前記画像読取手段の動作を行う制御手段を有することを特徴とする。
【００４５】
また、本発明に係る画像読取装置の他の構成は、シート状原稿を搬送する前記シート搬送装置と、前記シート搬送装置により搬送されるシート状原稿の原稿画像を読み取る画像読取手段と、前記搬送量検出手段から得られる出力信号に同期して前記画像読取手段の動作を行う制御手段と、を有することを特徴とする。
【００４６】
前記各画像読取装置、各シート搬送装置、各記録装置において、前記移動手段を駆動する駆動手段、前記シート搬送手段を駆動する駆動手段の駆動源は直流モータを用いたことを特徴とする。
【００４７】
前記各シート搬送装置において、シート搬送手段は、搬送回転体であることを特徴とする。
【００４８】
前記各記録装置において、記録手段が信号に応じてインクを吐出して記録を行うインクジェット記録方式であることを特徴とする。
【発明の効果】
【００４９】
本発明によれば、副走査方向の読取精度を向上させるために解像度変換の精度を厳しくする必要がなくなり、読取データを処理する時間を最小限とすることが出来る。記録装置に応用した場合には、主走査方向の記録精度を向上させるために解像度変換の精度を厳しくする必要がなくなり、記録データを処理する時間を最小限とすることが出来る。
【００５０】
また、モータ単体の温度上昇を防ぎ、更に騒音レベルを一段低い装置とすることが出来る。また、装置本体を大きくすることなく、容易で且つ確実に原稿の読取精度を向上させ、且つ記録精度を向上させた高品質の画像読取装置及び記録装置を提供することが出来る。
【発明を実施するための最良の形態】
【００５１】
図により本発明に係る画像読取装置、シート搬送装置及び記録装置の一例として複合装置となるファクシミリ装置に適用した場合の一実施形態を具体的に説明する。図１は本発明に係る画像読取装置の第１実施形態における画像読取部の構成を示す断面説明図、図２は本発明に係る画像読取装置の第１実施形態における画像読取部の構成を示す斜視説明図、図３は本発明に係る画像読取装置、シート搬送装置及び記録装置を備えた複合装置となるファクシミリ装置の外観斜視図、図４は本発明に係る画像読取装置、シート搬送装置及び記録装置を備えた複合装置となるファクシミリ装置の全体断面説明図、図５は本発明に係る画像読取装置、シート搬送装置及び記録装置を備えた複合装置となるファクシミリ装置の制御系の構成を示すブロック図、図６は本発明に係る記録装置の記録部の構成を示す斜視説明図、図７は本発明に係るシート搬送装置の駆動連結部の構成を示す外観斜視図である。
【実施例１】
【００５２】
先ず、図１及び図２を用いて本発明に係る画像読取装置の第１実施形態について説明する。図１において、読取フレーム１に図示しない原稿Ｄを載置する原稿台ガラス２が支持されており、図示しない原稿Ｄを原稿台ガラス２に載せ、該原稿台ガラス２に対向して配置され且つ該原稿台ガラス２上に載置された原稿Ｄの原稿画像を読み取る画像読取手段となる光電変換素子を用いたコンタクトセンサ３にて読取動作を行う。圧板８は原稿台ガラス２から原稿Ｄが浮かないように押さえ込むように構成されている。
【００５３】
図２は図１において原稿台ガラス２より上に配置された部材を除去した本実施形態の駆動連結部を説明するための斜視図である。図２において、画像読取手段となるコンタクトセンサ３を移動させる移動手段となるキャリッジ７を駆動する駆動手段の駆動源となるモータ５にギア連結されたプーリ11には駆動伝達ベルト６が張架されており、該駆動伝達ベルト６の一部にキャリッジ７が固定されている。
【００５４】
そして、図示しない制御手段によりモータ５を回転駆動することにより、画像読取手段となるコンタクトセンサ３を取り付けている移動手段となるキャリッジ７が読取フレーム１に設けられた摺動軸４に沿って摺動しつつ該摺動軸４に平行に図２の矢印方向に走査される。本実施形態のモータ５は直流（ＤＣ）モータを使用している。
【００５５】
本実施形態において、画像読取手段となるコンタクトセンサ３の読取解像度は、主走査方向３００dpiである。そのため、ファクシミリ送信画像に変換する場合には、主走査方向はミリ／インチ変換を行い、画像の歪みを修正してから送信を行っている。
【００５６】
次に本発明の最も特徴となるところの駆動制御について説明する。図２に示す移動手段となるキャリッジ７の走査方向に平行に、該キャリッジ７により移動される画像読取手段となるコンタクトセンサ３の移動量を検出する移動量検出手段を構成するスリット部材となるミリ系スリット板９とインチ系スリット板10が読取フレーム１に固定されており、キャリッジ７の裏面側には、両スリット板９，10を挟み込むように光学センサとなる図示しないフォトセンサがそれぞれ取り付けられている。そして、キャリッジ７を図２の矢印方向に走査することにより、フォトセンサが両スリット板９，10を検出する構成となっている。
【００５７】
即ち、本実施形態において、画像読取手段となるコンタクトセンサ３の移動量を検出する移動量検出手段は、少なくとも二種類以上の移動単位を検出可能に構成され、図示しない光学センサと、移動手段となるキャリッジ７に同期駆動もしくは略同期駆動し且つ光学センサの光路を遮るスリット部材となるミリ系スリット板９及びインチ系スリット板10とを有し、光学センサとスリット部材との対を複数有するものである。
【００５８】
また、光学センサのうちの少なくとも１つは複数の位置へと移動可能であり、スリット部材を複数設けたものである。ここで、移動量検出手段における少なくとも二種類以上の移動単位は１つはミリ系解像度を検出するミリ系スリット板９からなり、他の１つはインチ系解像度を検出するインチ系スリット板10からなる。
【００５９】
本実施形態では、ミリ系スリット板９の開口スリット９ａの間隔はファクシミリのスーパファイン（０．０６５mm＝１５．４Line／１mm）の副走査１Line分に設定しており、インチ系スリット板10の開口スリット10ａの間隔は３００dpi（０．０８４mm＝３００dot／２５．４mm）の副走査１Line分に設定している。
【００６０】
即ち、移動量検出手段において、光学センサを複数設け、スリット部材のうちの少なくとも１つは異なる周期のスリット幅を有して構成される。
【００６１】
ファクシミリ送信時の画像読取動作としては、キャリッジ７を図２の矢印方向に走査することにより、ミリ系スリット板９を図示しないフォトセンサにより検出し、その検出信号に合せて図示しない制御手段によりコンタクトセンサ３の読取制御を行っている。
【００６２】
また、スキャナ機能時の画像読取動作としては、キャリッジ７を図２の矢印方向に走査することにより、インチ系スリット板10を図示しないフォトセンサにより検出し、その検出信号に合せて図示しない制御手段によりコンタクトセンサ３の読取制御を行っている。
【００６３】
即ち、移動量検出手段を構成するミリ系スリット板９、インチ系スリット板10及びフォトセンサにより該フォトセンサから得られる出力信号に同期して制御手段により画像読取手段となるコンタクトセンサ３の動作を行う。
【００６４】
このようにキャリッジ７の移動量検出手段を２つ設けることで、副走査方向の解像度変換は、する必要がなくなり、忠実でかつ等倍の画像を得ることが出来る。また、副走査方向の読取精度を向上させるために解像度変換の精度を厳しくする必要がなくなり、読取データを処理する時間を最小限とすることが出来る。
【００６５】
また、本実施形態では、画像読取手段となるコンタクトセンサ３を移動させる移動手段となるキャリッジ７を駆動する駆動手段の駆動源として直流（ＤＣ）モータを使用しているので、原稿Ｄを原稿台ガラス２上に搬送する際の原稿搬送時には余分なトルクを持つことがないためステッピングモータを使用した時の余分なトルク（エネルギー）が無くなり、モータ単体の温度の上昇を防ぎ、騒音レベルが一段低い装置とすることが出来る。また、装置本体を大きくすることなく、容易でかつ確実に原稿の読取精度を向上させた高品質の画像読取装置を提供することが出来る。
【実施例２】
【００６６】
次に図３〜図６を用いて本発明に係る画像読取装置、シート搬送装置及び記録装置の第２実施形態について説明する。図３及び図４は本発明に係る画像読取装置、シート搬送装置及び記録装置の第２実施形態として、ファクシミリ機能と外部ＰＣ（パーソナルコンピュータ）に取り込めるスキャナ機能を有する複合装置の全体構造を示す外観斜視図及び断面図である。
【００６７】
尚、以下の各実施形態に係わる複合装置の記録部Ｂとしては、一般に記録手段が信号に応じてインクを吐出して記録を行うインクジェット記録方式の記録装置を採用している。図３〜図５に示す複合装置は、記録シートＳを供給する供給部Ａと、記録手段としての記録部Ｂと、原稿Ｄに記載された原稿画像を読み取るための読取部Ｃと、操作部Ｅとを有して構成され、本体上カバー101と、本体下カバー102と装置の制御を行う制御手段となる制御基板102aと、装置に電力を供給する電源ユニット102bを配置している。
【００６８】
先ず、読取部Ｃについて説明する。読取部Ｃは原稿Ｄに光を照射してその反射光を電気信号に変換し、この信号を操作モードに応じて他機に伝送し、又は自己の記録部Ｂに伝送するものである。詳細に説明すると、原稿Ｄは原稿台104と原稿補助トレー105に積載され、原稿幅規制板106a，106bにより搬送時の幅方向への斜行等を防ぐ。
【００６９】
複数枚ある原稿Ｄは、図示しない直流（ＤＣ）モータにより回転駆動力が伝達される分離ローラ107が図示する矢印方向に回転し、予備搬送板108が分離ローラ107側に付勢されることで、摩擦片109と分離ローラ107とにより形成されるくさび形状の場所まで搬送される。
【００７０】
そして複数枚ある原稿Ｄは摩擦片109により１枚ずつ捌かれ、図示しない直流（ＤＣ）モータにより回転駆動力が伝達される給送ローラ110aが図示する矢印方向に回転し、これに対向する補助コロ110bの付勢力を得て原稿Ｄが１枚ずつ搬送される。原稿搬送ガイド111は分離ローラ107から後述する画像読取手段となるコンタクトセンサ３まで原稿Ｄのガイドをする。
【００７１】
コンタクトセンサ取付板103に取り付けられたコンタクトセンサ３の上部には、原稿Ｄのバックグランドカラーとなり、また読み取りにおける白基準となる読取基準板113が配置されており、該読取基準板113はコンタクトセンサ３の読取幅全域に亘って覆う幅を有して構成されている。
【００７２】
またコンタクトセンサ３の内部には、原稿Ｄを照射する図示しない光源を配置している。本実施形態では光源としてＬＥＤ（発光ダイオード）を使用している。そしてコンタクトセンサ３により原稿画像が読み取られた原稿Ｄは、図示しない駆動モータにより回転駆動力が伝達される排出ローラ114aが図４の反時計回り方向に回転し、対向する補助コロ114bの付勢力を得て図示する矢印ｆ方向に搬送されて画像読取装置外へ排出され、原稿排出トレー115に積載される。また原稿排出トレー115は図３の矢印方向に移動可能に構成しており、読取動作以外の時は、機内に収納するようになっている。
【００７３】
次に操作部Ｅについて説明する。操作部Ｅはコピー操作、送信操作、スキャナ操作等の各操作を行うためのものである。操作カバー116にダイアルキー116a等各種操作に応じたキーや表示部116bが設けられている。この操作部Ｅは読取部Ｃにおける原稿搬送機構の上部に設けられており、本複合装置に対して図４に示す矢印ｇ方向に回動可能に構成されている。100は操作部Ｅの制御基板である。尚、操作部Ｅの一方端側には送信・受信を行う電話回線用モジュラ102c1が装備されている。
【００７４】
次に供給部Ａについて説明する。記録シートＳとしては、普通紙やプラスチックシート等及びその他の材質であって、インクを転写し得るものを用いることが可能である。本実施形態では、Ｂ４サイズ又はＡ４サイズにカットされた普通紙を記録シートＳとして用いる。
【００７５】
そして記録シートＳは本体上カバー101の背面に設けてある記録シート高さ規制板101aにより記録シートトレー121と図示する矢印方向に引出し可能な記録シート補助トレー122とに限られた枚数が収納積載される。
【００７６】
また記録シートサイドガイド123が記録シートＳの幅方向の規制をしている。また図４において、記録シートＳの底部に配置される圧板124は、図示しない回転軸を中心に回動可能に支持され、図示しない駆動系により１回転制御され、圧板ばね124aにより記録シートＳを給送ローラ125に圧接して搬送するようばね性を持って構成している。給送ローラ125が図示する矢印方向に回転駆動することにより搬送された記録シートＳは、爪分離により捌かれて１枚ずつ記録部Ｂへと搬送される。
【００７７】
次に本発明の最も特徴となる記録部Ｂについて詳細に説明する。本復合装置の記録手段としては、一般にインクジェット記録装置と称されるものを採用している。図４において、記録部Ｂは他機から伝送された画信号、或いは後述する読取部Ｃから伝送された画信号に応じて、供給部Ａから供給された記録シートＳに画像を記録するものである。
【００７８】
記録シート押え126はＬＦ（ラインフィード）ローラ127側に押圧されており、供給部Ａから搬送された記録シートＳの上ガイドを兼ねながらピンチローラ126aをＬＦローラ127に対向させている。そして、記録シートＳを搬送するシート搬送手段により搬送される記録シートＳに記録を行うための記録手段であって、且つ記録シートＳに対する記録領域を往復移動可能なキャリッジを兼ねる記録カートリッジ128とプラテン板129との間を記録シートＳが搬送され、該記録カートリッジ128により記録動作を行う。
【００７９】
本実施形態においては、図６に示すように、記録手段を搭載した記録カートリッジ128は記録フレーム112に設けられた摺動軸128aに沿って移動可能に設けられており、更に該記録フレーム112に取り付けられたプーリ133に張架された移動手段となる駆動伝達ベルト134の一部に固定されている。
【００８０】
そして、キャリッジとなる記録カートリッジ128を移動させる移動手段となる駆動伝達ベルト134及び駆動系を駆動する駆動手段となる図示しない直流（ＤＣ)モータにより摺動軸128aに沿って、図６に示す矢印方向、即ち記録シートＳの幅方向に対して移動しながらシリアル印字するよう構成している。
【００８１】
次に本発明の最も特徴となるところの駆動制御について説明する。記録カートリッジ128の走査方向に平行に光学センサの光路を遮るスリット部材となるミリ系スリット板９とインチ系スリット板10が固定されており、記録カートリッジ128の裏面側に両スリット板９，10を挟み込むように、光学センサとなる図示しないフォトセンサをそれぞれ取り付けている。そして、記録カートリッジ128を図６に示す矢印方向に走査することによりフォトセンサが両スリット板９，10を検出する構成となっている。
【００８２】
この時、ミリ系スリット板９の開口スリット９ａの間隔は、ファクシミリのウルトラファイン（０．０６２５mm＝１６dot／mm）の主走査１ドット分に設定している。またインチ系スリット板10の開口スリット10ａの間隔は、６００dpi（０．０４２mm＝６００dot／２５．４mm）の主走査１ドット分に設定している。
【００８３】
ファクシミリ受信画像の記録動作としては、記録カートリッジ128が図６に示す矢印方向に走査することにより、ミリ系スリット板９を図示しないフォトセンサにより検出し、その検出信号に合せて、制御手段により記録カートリッジ128のインク吐出制御を行っている。
【００８４】
またスキャナ画像の記録動作としては、記録カートリッジ128が図６に示す矢印方向に走査することにより、インチ系スリット板10を図示しないフォトセンサにより検出し、その検出信号に合せて、制御手段により記録カートリッジ128のインク吐出制御を行っている。
【００８５】
このように記録カートリッジ128の移動量検出手段として、ミリ系解像度のミリ系スリット板９と、インチ系解像度のインチ系スリット板10を二つ設けることで、主走査方向の解像度変換は、する必要がなくなり、忠実でかつ等倍の画像を得ることが出来る。
【００８６】
こうすることで、副走査方向の読取精度を向上させるために解像度変換の精度を厳しくする必要がなくなり、読取データを処理する時間を最小限とすることが出来る。また本実施形態では、駆動源として直流（ＤＣ）モータを使用しており、前述の第１実施形態と同様の効果を得ることが出来る。
【００８７】
そして印字記録後の記録シートＳは、排出ローラ130aと対向する拍車ローラ130bにより印字面を汚さないように記録シートＳを矢印ｅ方向に機外へと搬送し、排出カバー131と図３に示す矢印方向に移動可能な排出補助トレー132上に排出して積載する。
【００８８】
また、原稿台104は本体上カバー101の図示しない回転中心を中心にして矢印ｈ方向に回動可能に支持されており、原稿台104を回動して記録カートリッジ128を矢印ｉ方向に着脱可能に構成している。
【００８９】
次に、図５を用いて、本復合装置の制御系の構成について説明する。図５において、この複合装置は、装置全体を制御する制御手段となる制御部135と、このファクシミリ装置全体に電力を供給する電源ユニット102bと、モデム基板ユニット137と、電話機を接続する通信基板ユニット138と、操作部Ｅから入力した内容等を表示する表示部116b等が設けられている。
【００９０】
上記制御部135は、本装置全体の制御を行うＣＰＵ（中央情報演算装置）140と、各種プログラムや各種データ等を格納したＲＯＭ（リードオンリメモリ）141と、上記ＣＰＵ140のワークエリアとして使用されると共に、記録枚数等の各種データの一時保存を行うことや、各種データの保管登録するＲＡＭ（ランダムアクセスメモリ）142、また入出力切換インターフェース143等を有する。
【００９１】
また、144は画像データの各ラインのイメージを格納するラインメモリであって、原稿Ｄの送信若しくはコピーの場合は原稿読取部Ｃからの１ライン分のイメージデータが格納され、画像データの受信の場合には複号された１ライン分のデータが格納される。
【００９２】
そして上記ラインメモリ144に格納された画像データは、ＣＰＵ140を通り記録系制御コードを追加して入出力切換インターフェース143から記録部Ｂに設けられた制御手段となるＣＰＵ（中央情報演算装置）145に出力され、ＣＰＵ145が前記記録系制御コードを解読することによって、画像記録が行われる。
【００９３】
また、146は送信する画像情報をＭＨ符号化等により符号化したり、受信した符号化画像データを複号化してイメージデータに変換する符号化／複号化部である。147は送受信された符号化画像データを格納するバッファメモリである。
【００９４】
そして、周辺コンピュータ148からプリンタインターフェース149を介して画像データやテキストデータを記録部Ｂへと出力出来、また読取部Ｃにより読み取った画像データを周辺コンピュータ148へと取り込むことが出来る。
【００９５】
上記構成において、記録手段を搭載し且つ記録シートＳに対する記録領域を往復移動可能なキャリッジとなる記録カートリッジ128を移動させる該記録カートリッジ128の移動量を検出する移動量検出手段は、記録カートリッジ128に設けられた光学センサと、移動手段となる駆動伝達ベルト134に同期駆動もしくは略同期駆動し且つ光学センサの光路を遮るスリット部材とを有し、光学センサとスリット部材との対を複数有する。
【００９６】
また記録カートリッジ128に設けられた光学センサと、移動手段となる駆動伝達ベルト134に同期駆動もしくは略同期駆動し且つ光学センサの光路を遮るスリット部材とを有し、該光学センサのうちの少なくとも１つは複数の位置へと移動可能であり、スリット部材を複数設けたものである。
【００９７】
また移動量検出手段は、光学センサと、移動手段となる駆動伝達ベルト134に同期駆動もしくは略同期駆動し且つ光学センサの光路を遮るスリット部材とを有し、光学センサを複数設け、スリット部材のうちの少なくとも１つは異なる周期のスリット幅を有するものであり、移動量検出手段における少なくとも二種類以上の移動単位を検出可能なミリ系解像度のミリ系スリット板９と、インチ系解像度のインチ系スリット板10とを有して構成される。
【００９８】
また、記録手段を搭載したキャリッジとなる記録カートリッジ128を移動させる駆動伝達ベルト134を駆動する駆動手段の駆動源は直流（ＤＣ）モータを用いている。
【００９９】
尚、前記実施形態では、キャリッジが記録手段となるインクジェット記録方式の記録カートリッジ128を往復移動する場合の構成について説明したが、原稿Ｄを搬送する原稿搬送手段により搬送される原稿Ｄの原稿画像を読み取る画像読取手段となるコンタクトセンサ３を搭載して原稿Ｄに対する読取領域を往復移動可能なキャリッジを設けて該キャリッジを移動させる移動手段を駆動手段により駆動する画像読取装置において、移動手段により移動されるキャリッジの移動量を検出する移動量検出手段が少なくとも二種類以上の移動単位を検出可能に構成することが出来る。
【０１００】
また、原稿Ｄを載置する原稿台ガラス２に対向して配置され且つ該原稿台ガラス２上に載置された原稿Ｄの原稿画像を反射する反射ミラーと、該反射ミラーに反射した原稿画像を読み取る画像読取手段とを有し、該反射ミラーを移動させる移動手段を駆動手段により駆動する画像読取装置において、移動手段により移動される反射ミラーの移動量を検出する移動量検出手段が少なくとも二種類以上の移動単位を検出可能に構成することが出来る。
【０１０１】
そして、これ等の移動量検出手段は、光学センサと、各移動手段に同期駆動もしくは略同期駆動し且つ光学センサの光路を遮るスリット部材とを有し、光学センサとスリット部材との対を複数設けることが出来る。
【０１０２】
また、これ等の移動量検出手段は、光学センサと、各移動手段に同期駆動もしくは略同期駆動し且つ光学センサの光路を遮るスリット部材とを有し、光学センサのうちの少なくとも１つは複数の位置へと移動可能に構成し、スリット部材を複数設けることが出来る。
【０１０３】
また、これ等の移動量検出手段は、光学センサと、各移動手段に同期駆動もしくは略同期駆動し且つ光学センサの光路を遮るスリット部材とを有し、光学センサを複数設け、スリット部材のうちの少なくとも１つは異なる周期のスリット幅を有する構成とすることが出来る。
【０１０４】
そして、これ等の移動量検出手段における少なくとも二種類以上の移動単位は、前述の各実施形態と同様に、ミリ系解像度のミリ系スリット板９と、インチ系解像度のインチ系スリット板10を用いて構成することが出来る。
【０１０５】
また、これ等の移動量検出手段から得られる出力信号に同期して、制御手段が画像読取手段の動作を行うように構成することが出来る。
【実施例３】
【０１０６】
次に図４、図５及び図７を用いて本発明に係るシート搬送装置について説明する。本実施形態では、シートを搬送するシート搬送手段と、該シート搬送手段を駆動する駆動手段と、該シート搬送手段によるシートの搬送量を検出する搬送量検出手段と、を有するシート搬送装置において、該搬送量検出手段が少なくとも二種類以上の搬送単位を検出可能に構成したものである。
【０１０７】
本実施形態におけるシート搬送装置は画像読取装置であり、シート搬送手段となる搬送回転体は、図４に示す読取部Ｃに設けられたシート状原稿Ｄを搬送する給送ローラ110aである。そして、シート搬送装置により搬送されるシート状原稿Ｄの原稿画像を画像読取手段となるコンタクトセンサ３により読み取り、搬送量検出手段から得られる出力信号に同期して制御手段となる制御部135によりコンタクトセンサ３の動作を行う。
【０１０８】
図７に示すように、シート搬送手段であって搬送回転体となる給送ローラ110aの回転軸には、該給送ローラ110aに同期駆動もしくは略同期駆動し且つ光学センサとなるフォトセンサ15，16の光路を遮るスリット部材となるミリ系スリット板13とインチ系スリット板14が固定されており、給送ローラ110aが回転することにより、両スリット板13，14も一体的に回転する構成となっている。また、両スリット板13，14を挟み込むように図示しないフレームにフォトセンサ15，16を取り付けている。尚、シート搬送手段となる給送ローラ110aを駆動する駆動手段の駆動源は直流（ＤＣ）モータ12を用いている。
【０１０９】
この時、ミリ系スリット板13の開口スリット13ａの間隔は、ファクシミリのスーパファイン（０．０６５mm＝１５．４Line／１mm）の副走査１Line分に設定しており、給送ローラ110aの搬送量と同期している。
【０１１０】
またインチ系スリット板14の開口スリット14ａの間隔は、３００dpi（０．０８４mm＝３００dot／２５．４mm）の副走査１Line分に設定しており、給送ローラ110aの搬送量と同期している。
【０１１１】
ファクシミリ送信の時の画像読取としては、ミリ系スリット板13の回転をフォトセンサ15により検出し、その検出信号に合せて制御手段となる制御部135によりコンタクトセンサ３の読取制御を行っている。
【０１１２】
またスキャナ機能の時の画像読取としては、インチ系スリット板14の回転をフォトセンサ16により検出し、その検出信号に合せてコンタクトセンサ３の読取制御を行っている。
【０１１３】
本実施形態のコンタクトセンサ３の読取解像度は、主走査方向３００dpiである。そのため、ファクシミリ送信画像に変換する場合には、主走査方向はミリ／インチ変換を行い、画像の歪みを修正してから送信を行って前述した第１実施形態と同様の構成を取っている。また本実施形態において副走査方向の制御は、前述した第１実施形態と同様の構成を取っている。
【０１１４】
このように給送ローラ110aの搬送量検出手段を二つ設けることで、副走査方向の解像度変換は、する必要がなくなり、忠実でかつ等倍の画像を得ることが出来る。
【０１１５】
即ち、搬送量検出手段は光学センサとなるフォトセンサ15，16と、シート搬送手段となる給送ローラ110aに同期駆動もしくは略同期駆動し且つフォトセンサ15，16の光路を遮るスリット部材となるミリ系スリット板13及びインチ系スリット板14とを有し、光学センサとスリット部材との対を複数有する。
【０１１６】
また搬送量検出手段は、光学センサとなるフォトセンサ15，16のうちの少なくとも１つが複数の位置へと移動可能に構成することが出来る。
【０１１７】
また搬送量検出手段は、光学センサとなるフォトセンサ15，16を複数設け、スリット部材となるミリ系スリット板13及びインチ系スリット板14のうちの少なくとも１つは異なる周期のスリット幅となる開口スリット13ａ，14ａを有する。
【０１１８】
尚、前記実施形態では、図７に示すシート搬送装置を画像読取装置に適用した場合について説明したが、図７に示す給送ローラ110a、補助コロ110bを、図４の記録装置におけるＬＦローラ127、ピンチローラ126aとし、同じく排出ローラ114a、補助コロ114bを排出ローラ130a、拍車ローラ130bに変更すれば、本発明に係るシート搬送装置を記録装置に適用することも出来る。
【０１１９】
尚、前述した各実施形態では、原稿Ｄの原稿画像を読み取る画像読取手段としてコンタクトセンサ３を採用した場合の一例について説明したが、該画像読取手段を、光源とＣＣＤ（電荷結合装置）を用いた縮小光学系で構成しても良いことは当然である。
【０１２０】
また前述した各実施形態では、記録手段としてインクジェット記録方式を採用した場合の一例について説明したが、トナーを使用する電子写真記録方式（レーザービームプリンター）、若しくはインクシートとサーマルヘッドを使用する熱転写記録方式等で構成しても良いことは当然である。
【０１２１】
また前述した各実施形態では、原稿Ｄや記録シートＳの供給系の機構は爪分離方式を使用したが、摩擦分離やリタード分離等の他の分離方式で構成しても良いことは当然である。
【産業上の利用可能性】
【０１２２】
本発明の活用例として、原稿の画像情報を読み取るとともに、画像を形成し、画像を送信するファクシミリ装置等の画像通信装置に装備される画像読取装置やシート状原稿や記録紙等の記録シートを搬送するシート搬送装置及び、記録紙等の記録シートに画像を記録する記録装置に適用出来る。
【図面の簡単な説明】
【０１２３】
【図１】本発明に係る画像読取装置の第１実施形態における画像読取部の構成を示す断面説明図である。
【図２】本発明に係る画像読取装置の第１実施形態における画像読取部の構成を示す斜視説明図である。
【図３】本発明に係る画像読取装置、シート搬送装置及び記録装置を備えた複合装置となるファクシミリ装置の外観斜視図である。
【図４】本発明に係る画像読取装置、シート搬送装置及び記録装置を備えた複合装置となるファクシミリ装置の全体断面説明図である。
【図５】本発明に係る画像読取装置、シート搬送装置及び記録装置を備えた複合装置となるファクシミリ装置の制御系の構成を示すブロック図である。
【図６】本発明に係る記録装置の記録部の構成を示す斜視説明図である。
【図７】本発明に係るシート搬送装置の駆動連結部の構成を示す外観斜視図である。
【図８】従来例を説明する図である。
【図９】従来例を説明する図である。
【図１０】従来例を説明する図である。
【符号の説明】
【０１２４】
１…読取フレーム、２…原稿台ガラス、３…コンタクトセンサ、４…摺動軸、５…モータ、６…駆動伝達ベルト、７…キャリッジ、８…圧板、９…ミリ系スリット板、９ａ…開口スリット、10…インチ系スリット板、10ａ…開口スリット、11…プーリ、12…モータ、13…ミリ系スリット板、13ａ…開口スリット、14…インチ系スリット板、14ａ…開口スリット、15，16…フォトセンサ、100…制御基板、101…本体上カバー、101a…記録シート高さ規制板、102…本体下カバー、102a…制御基板、102b…電源ユニット、102c1…電話回線用モジュラ、103…コンタクトセンサ取付板、104…原稿台、105…原稿補助トレー、106a，106b…原稿幅規制板、107…分離ローラ、108…予備搬送板、109…摩擦片、110a…給送ローラ、110b…補助コロ、111…原稿搬送ガイド、112…記録フレーム、113…読取基準板、114a…排出ローラ、114b…補助コロ、115…原稿排出トレー、116…操作カバー、116a…ダイアルキー、116b…表示部、120…記録シート、121…記録シートトレー、122…記録シート補助トレー、123…記録シートサイドガイド、124…圧板、124a…圧板ばね、125…給送ローラ、126…記録シート押え、126a…ピンチローラ、127…ＬＦローラ、128…記録カートリッジ、128a…摺動軸、129…プラテン板、130a…排出ローラ、130b…拍車ローラ、131…排出カバー、132…排出補助トレー、133…プーリ、134…駆動伝達ベルト、135…制御部、137…モデム基板ユニット、138…通信基板ユニット、140…ＣＰＵ、141…ＲＯＭ、142…ＲＡＭ、143…入出力切換インターフェース、144…ラインメモリ、145…ＣＰＵ、146…符号化／複号化部、147…バッファメモリ、148…周辺コンピュータ、149…プリンタインターフェース、Ａ…供給部、Ｂ…記録部、Ｃ…読取部、Ｄ…原稿、Ｅ…操作部、Ｓ…記録シート
【図１】
2005175914.tif 000003
【図２】
2005175914.tif 000004
【図３】
2005175914.tif 000005
【図４】
2005175914.tif 000006
【図５】
2005175914.tif 000007
【図６】
2005175914.tif 000008
【図７】
2005175914.tif 000009
【図８】
2005175914.tif 000010
【図９】
2005175914.tif 000011
【図１０】
2005175914.tif 000012